(57)【特許請求の範囲】
【請求項１】
手の平側に配置される手平側被覆材と、手平側被覆材とは別体であり且つ手の甲側に配置される手甲側被覆材と、前記手平側被覆材と該手甲側被覆材とを連結する紐体とを備え、前記手平側被覆材は、手の平側を覆う手平側シートと、該手平側シートの外縁部のうち、手の側部に対応する部分全周に亘って形成され且つ前記紐体が挿通される複数の手平側挿通部とを有し、前記手甲側被覆材は、手の甲側を覆う手甲側シートと、該手甲側シートの外縁部のうち、手の側部に対応する部分全周に亘って形成され且つ前記紐体が挿通される複数の手甲側挿通部とを有し、前記紐体は、前記手平側シートと前記手甲側シートとを締め付けて間隔を狭めることでそれぞれの外縁部を重ね合わせた状態にし、手平側シートと手甲側シートとの間隔が広げられることで前記締め付けが弛められるように各手平側挿通部と各手甲側挿通部とに挿通される手袋。
【請求項２】
前記紐体は、前記手平側シートの外縁部又は前記手甲側シートの外縁部のうちの途中位置に固定される請求項１に記載の手袋。
【請求項３】
前記手平側挿通部は、手平側シートの外縁部に沿う方向で紐体を挿通可能に構成され、前記手甲側挿通部は、手甲側シートの外縁部に沿う方向で紐体を挿通可能に構成される請求項１又は請求項２に記載の手袋。
【請求項４】
前記手平側シートは、手の平に沿わせて配置する手平側ベース部と、該手平側ベース部から延出し且つ各指に沿わせて配置する５つの手平側延出部とを有し、前記手甲側シートは、手の甲に沿わせて配置する手甲側ベース部と、該手甲側ベース部から延出し且つ各指に沿わせて配置する５つの手甲側延出部とを有し、前記複数の手平側挿通部には、前記各手平側延出部の頂部及び前記各手平側延出部の間の谷部のそれぞれに設けられるものが含まれ、前記複数の手甲側挿通部には、前記各手甲側延出部の頂部及び前記各手甲側延出部の間の谷部のそれぞれに設けられるものを含む請求項１乃至請求項３の何れか１項に記載の手袋。
【発明の詳細な説明】
【技術分野】
【０００１】
本発明は、手を保護するための手袋に関する。
【背景技術】
【０００２】
従来から、手が傷付いてしまう虞のある作業では、手を保護するために手袋が用いられている。かかる手袋として、平滑生地で袋状に一体形成され、手の出入口となる裾部を開口させた手袋が知られている。
【０００３】
前記手袋は、親指側面に切り開き部が設けられ、該切り開き部を開閉する接合手段を備えている。
【０００４】
そのため、前記手袋は、裾部の切り込みの両側を大きく開くことで裾部に手を挿入し易い状態にでき、手の平部と甲部との間に手を挿入した後に裾部の切り込みの両側を接近させて面ファスナーを互いに接続することで、裾部を手首にフィットさせた状態で装着できるとされている（例えば、特許文献１参照）。
【先行技術文献】
【特許文献】
【０００５】
【特許文献１】特開平８−２８４００５号公報
【発明の概要】
【発明が解決しようとする課題】
【０００６】
ところで、前記手袋は、手全体を包み込むように袋状に一体形成されているため、手の形状に沿って変形する範囲に限度があることから使用者の手に馴染まなかったり、内部に溜まった汚れを落とし難かったりすることがある。そのため、前記手袋には、装着性をさらに向上させ、より衛生的に使用できるようにすることが求められている。
【０００７】
そこで、本発明は、斯かる実情に鑑み、装着性が高く、衛生的な状態を保ち易い手袋を提供することを課題とする。
【課題を解決するための手段】
【０００８】
本発明の手袋は、手の平側に配置される手平側被覆材と、手平側被覆材とは別体であり且つ手の甲側に配置される手甲側被覆材と、前記手平側被覆材と該手甲側被覆材とを連結する紐体とを備え、前記手平側被覆材は、手の平側を覆う手平側シートと、該手平側シートの外縁部のうち、手の側部に対応する部分全周に亘って形成され且つ前記紐体が挿通される複数の手平側挿通部とを有し、前記手甲側被覆材は、手の甲側を覆う手甲側シートと、該手甲側シートの外縁部のうち、手の側部に対応する部分全周に亘って形成され且つ前記紐体が挿通される複数の手甲側挿通部とを有し、前記紐体は、前記手平側シートと前記手甲側シートとを締め付けて間隔を狭めることでそれぞれの外縁部を重ね合わせた状態にし、手平側シートと手甲側シートとの間隔が広げられることで前記締め付けが弛められるように各手平側挿通部と各手甲側挿通部とに挿通される。
【０００９】
上記構成の手袋によれば、紐体は、手平側シートの外縁部に形成される手平側挿通部のそれぞれと、手甲側シートの外縁部に形成される手甲側挿通部のそれぞれとに挿通され、さらに、手平側シートと手甲側シートとを締め付けて間隔を狭めることでそれぞれの外縁部を重ね合わせた状態にし、手平側シートと手甲側シートとの間隔が広げられることでそれぞれに対する締め付けが弛められるように構成される。
【００１０】
そのため、手平側シートと手甲側シートとの間に手を挿し入れた状態で、手平側シートと手甲側シートとを紐体によって締め付けると、該手平側シートと手甲側シートとが手の形状に沿って変形する。従って、前記手袋は、手平側シートと手甲側シートとを使用者の手に応じた形状になじませて装着することができる。
【００１１】
また、手平側シートと手甲側シートとの間隔を広げて紐体を弛めることで手平側シートと手甲側シートとの間から手を抜き取ることができる状態になり、手平側シートと手甲側シートとの間隔を広げた状態では内部を洗い易い。
【００１２】
本発明の手袋において、前記紐体は、前記手平側シートの外縁部又は前記手甲側シートの外縁部のうちの途中位置に固定されてもよい。
【００１３】
かかる構成によれば、紐体が手平側シートの外縁部又は手甲側シートの外縁部に固定される位置で区切られる。そのため、紐体に対して締めたり弛めたりする操作に伴って生じる力が、該紐体の前記手平側シートの外縁部又は前記手甲側シートに対する固定位置を基点として一方側と他方側とに分散される。従って、前記手袋は、紐体を締めたり、弛めたりする操作を行い易い。
【００１４】
本発明の手袋において、前記手平側挿通部は、手平側シートの外縁部に沿う方向で紐体を挿通可能に構成され、前記手甲側挿通部は、手甲側シートの外縁部に沿う方向で紐体を挿通可能に構成されてもよい。
【００１５】
かかる構成によれば、手平側挿通部と手甲側挿通部とに紐体を挿通する方向を揃えることで、手平側シートと手甲側シートとを締め付けたり、手平側シートと手甲側シートに対する締め付けを弛めたりする際における紐体の動く方向を手平側シート及び手甲側シートの外縁部に沿う方向に揃えることで、紐体による締め付け、又は弛め操作を円滑に行えるようになる。
【００１６】
本発明の手袋において、前記手平側シートは、手の平に沿わせて配置する手平側ベース部と、該手平側ベース部から延出し且つ各指に沿わせて配置する５つの手平側延出部とを有し、前記手甲側シートは、手の甲に沿わせて配置する手甲側ベース部と、該手甲側ベース部から延出し且つ各指に沿わせて配置する５つの手甲側延出部とを有し、前記複数の手平側延出部には、前記各手平側延出部の頂部及び前記各手平側延出部の間の谷部のそれぞれに設けられるものが含まれ、前記複数の手甲側延出部には、前記各手甲側延出部の頂部及び前記各手甲側延出部の間の谷部のそれぞれに設けられるものを含んでいてもよい。
【００１７】
上記構成の手袋における各手平側延出部の頂部、各手平側延出部の間の谷部、各手甲側延出部の頂部、各手甲側延出部の間の谷部は、それぞれ湾曲した形状であるが、各手平側延出部の頂部及び各手平側延出部の間の谷部には手平側挿通部が形成され、各手甲側延出部の頂部及び各手甲側延出部の間の谷部には手甲側挿通部が形成されるため、各手平側延出部の頂部と各手項側延出部の頂部とを紐体で締めることができ、また、各手平側延出部の谷部と各手項側延出部の谷部とについても紐体で締めることができる。従って、紐体で手平側シートと手甲側シートとを締め付けたときに、手平側延出部の頂部と各手甲側延出部の頂部との間や、手平側延出部の谷部と各手甲側延出部の谷部との間に隙間が形成されることが防止される。
【発明の効果】
【００１８】
以上のように、本発明によれば、装着性が高く、衛生的な状態を保ち易いという優れた効果を奏し得る。
【図面の簡単な説明】
【００１９】
【図１】図１は、本発明の一実施形態に係る手袋の外観図であって、手平側シート側から見た外観図である。
【図２】図２は、同実施形態に係る手袋の手平側被覆材を内面側から見た外観図である。
【図３】図３は、同実施形態に係る手袋の手甲側被覆材を内面側から見た外観図である。
【図４】図４は、同実施形態に係る手袋の説明図であって、紐体で手平側被覆材と手甲側被覆材とを締め付けている状態の説明図である。
【図５】図５は、本発明の他の実施形態に係る手袋の説明図であって、紐体で手平側被覆材と手甲側被覆材とを締め付けている最中の説明図である。
【図６】図６は、同実施形態に係る手袋の説明図であって、手平側挿通部と手甲側挿通部の説明図である。
【図７】図７は、本発明の別の実施形態に係る手袋の説明図であって、紐体で手平側被覆材と手甲側被覆材とを締め付けている最中の説明図である。
【発明を実施するための形態】
【００２０】
以下、本発明の一実施形態にかかる手袋について、添付図面を参照して説明する。手袋は、図１に示すように、手の平側に配置される手平側被覆材２と、手平側被覆材２とは別体であり且つ手の甲側に配置される手甲側被覆材３と、手平側被覆材２と該手甲側被覆材３とを連結する紐体４と、紐体４の両端に取り付けられた一対の紐止具５とを備えている。
【００２１】
手平側被覆材２は、図２に示すように、手の平側を覆う手平側シート２０と、該手平側シート２０の外縁部のうちの手の側部に対応する部分全周に亘って形成され且つ紐体４が挿通される複数の手平側挿通部２１と、手平側シート２０の外縁部のうちの手の側部に対応する部分全周に亘って形成される手平側引掛部２２とを有する。
【００２２】
手平側シート２０は、手型に即して形成されており、手の平に対向する手平側内面２０ａと（図１参照）、手平側内面とは反対側の手平側外面２０ｂとを有する。
【００２３】
また、手平側シート２０は、手の平に沿わせて配置する手平側ベース部２００と、該手平側ベース部２００から延出し且つ指に沿わせて配置する複数の手平側延出部２０１と、手平側ベース部２００に連設され且つ手首に沿わせて配置する手平側裾部２０２とを有する。
【００２４】
手平側ベース部２００は、手の平に対向させる対向部２００ａと、該対向部２００ａの外縁部全周のうちの手の側部と対応する位置に形成されるベース縫代部２００ｂとを有する。
【００２５】
手平側延出部２０１は、五指に対応させて五つ形成されている。本実施形態に係る手平側延出部２０１は、手平側ベース部２００から延出し且つ先端部が丸みを帯びるように形成された延出被覆部２０１ａと、延出被覆部２０１ａの外縁部全周に亘って連続し且つ指の側部に対応して配置される延出縫代部２０１ｂとを有する。
【００２６】
延出縫代部２０１ｂは、幅（すなわち、延出被覆部２０１ａから外方に向けての延出量が全体に亘って一定となっている）そのため、延出縫代部２０１ｂのうち、延出被覆部２０１ａの先端部に対応する部分も丸みを帯びている。また、各手平側延出部２０１の延出縫代部２０１ｂは、互いに連続しており、さらに、両端の手平側延出部２０１の延出縫代部２０１ｂは、ベース縫代部２００ｂに連続している。
【００２７】
より具体的に説明すると、延出縫代部２０１ｂには、延出被覆部２０１ａの基端側（手平側ベース部２００）から延出被覆部２０１ａの先端側に向けて延びる一対の直線部２０１ｃと、延出縫代部２０１ｂの先端部に連続し且つ該一対の直線部２０１ｃのそれぞれに連続する湾曲部２０１ｄとを有する。
【００２８】
湾曲部２０１ｄは、手平側ベース部２００側とは反対側（すなわち、手平側延出部２０１が延出する方向）に向けて凸となるように湾曲している。
【００２９】
なお、本実施形態では、以下の説明において、手平側延出部２０１の先端部を頂部２０１ｅとする場合がある。なお、手平側延出部２０１の先端部は、延出縫代部２０１ｂの湾曲部２０１ｄによって構成されている。
【００３０】
また、手平側延出部２０１の基端部側においては、延出縫代部２０１ｂ（直線部２０１ｃ）と隣り合う別の延出縫代部２０１ｂとが連続することで谷部２０１ｆが形成されている。谷部２０１ｆは、手平側ベース部２００側に向けて凹状に湾曲している。
【００３１】
手平側裾部２０２は、手平側ベース部２００の対向部２００ａに連続する裾本体部２０２ａと、該裾本体部２０２ａに連設され且つ延出縫代部２０１ｂに連続する裾縫代部２０２ｂとを有する。
【００３２】
裾本体部２０２ａは、手平側ベース部２００の対向部２００ａに連続している。そして、手平側裾部２０２の裾縫代部２０２ｂは、それぞれ、手平側ベース部２００のベース縫代部２００ｂに連続している。
【００３３】
複数の手平側挿通部２１は、手平側シート２０の外縁部に沿って間隔をあけて配置されている。本実施形態では、上述のように、手平側ベース部２００のベース縫代部２００ｂ、手平側延出部２０１の延出縫代部２０１ｂ、手平側裾部２０２の裾縫代部２０２ｂがそれぞれ連続しているため、複数の手平側挿通部２１は、手平側ベース部２００のベース縫代部２００ｂ、手平側延出部２０１の延出縫代部２０１ｂ、手平側裾部２０２の裾縫代部２０２ｂのそれぞれに形成されている。
【００３４】
手平側引掛部２２は、手平側シート２０の外縁部を圧肉に形成することによって構成されている。また、手平側引掛部２２は、手平側外面２０ｂ上に形成されている。
【００３５】
手甲側被覆材３は、図３に示すように、手の甲側を覆う手甲側シート３０と、該手甲側シート３０の外縁部に形成され且つ紐体４が挿通される複数の手甲側挿通部３１と、手甲側シート３０の外縁部のうちの手の側部に対応する部分全周に亘って形成される手甲引掛部３２とを有する。
【００３６】
手甲側シート３０は、手型に即して形成されており、手に対向する面である手甲側内面３０ａと、手甲側内面３０ａとは反対側の手甲側外面３０ｂとを有する（図１参照）。手甲側内面３０ａは、手平側内面２０ａと向かい合う面である。
【００３７】
また、手甲側シート３０は、手の甲に沿わせて配置する手甲側ベース部３００と、該手甲側ベース部３００から延出し且つ指に沿わせて配置する複数の手甲側延出部３０１と、手甲側ベース部３００に連設され且つ手首に沿わせて配置する手甲側裾部３０２とを有する。
【００３８】
手甲側ベース部３００は、手の甲に対向させる対向部３００ａと、該対向部３００ａの外縁部全周のうちの手の側部と対応する位置に形成されるベース縫代部３００ｂとを有する。
【００３９】
手甲側ベース部３００の対向部３００ａは、手平側シート２０と、手甲側シート３０とを重ね合わせる方向である重合方向において互いに対応する位置に配置されている。手甲側ベース部３００の裾縫代部２０２ｂは、手平側ベース部２００の裾縫代部２０２ｂの外面側と重なり合うように配置されている。
【００４０】
手甲側延出部３０１は、五指に対応させて五つ形成されている。本実施形態に係る手甲側延出部３０１は、手甲側ベース部３００から延出し且つ先端部が丸みを帯びるように形成された延出被覆部３０１ａと、延出被覆部３０１ａの外縁部全周に亘って連続し且つ指の側部に対応して配置される延出縫代部３０１ｂとを有する。
【００４１】
手甲側延出部３０１の延出被覆部３０１ａは、前記重合方向において、手平側延出部２０１の延出被覆部２０１ａと対応する位置に配置されている。
【００４２】
延出縫代部３０１ｂは、幅（すなわち、延出被覆部３０１ａから外方に向けての延出量が全体に亘って一定となっている）そのため、延出縫代部３０１ｂのうち、延出被覆部３０１ａの先端部に対応する部分も丸みを帯びている。また、手甲側延出部３０１の延出縫代部３０１ｂは、手平側延出部２０１の裾縫代部２０２ｂの外面側と重なり合うように配置されている。
【００４３】
また、各手甲側延出部３０１の延出縫代部３０１ｂは、互いに連続しており、さらに、両端の手甲側延出部３０１の延出縫代部３０１ｂは、ベース縫代部３００ｂに連続している。
【００４４】
より具体的に説明すると、延出縫代部３０１ｂには、延出被覆部３０１ａの基端側（手甲側ベース部３００）から延出被覆部３０１ａの先端側に向けて延びる一対の直線部３０１ｃと、延出縫代部３０１ｂの先端部に連続し且つ該一対の直線部３０１ｃのそれぞれに連続する湾曲部３０１ｄとを有する。
【００４５】
手甲側延出部３０１における直線部３０１ｃは、前記重合方向において手平側延出部２０１の直線部２０１ｃに対応する位置に配置されている。
【００４６】
湾曲部３０１ｄは、手甲側ベース部３００側とは反対側（すなわち、手甲側延出部２０１が延出する方向）に向けて凸となるように湾曲している。また、手甲側延出部３０１における湾曲部３０１ｄは、前記重合方向において手平側延出部２０１の湾曲部２０１ｄに対応する位置に配置されている。
【００４７】
本実施形態では、以下の説明において、手甲側延出部３０１の先端部を頂部３０１ｅとする場合がある。なお、手甲側延出部３０１の先端部は、延出縫代部３０１ｂの湾曲部３０１ｄによって構成されている。
【００４８】
また、手甲側延出部３０１の基端部側においては、延出縫代部３０１ｂ（直線部３０１ｃ）と隣り合う別の延出縫代部３０１ｂとが連続することで谷部３０１ｆが形成されている。谷部３０１ｆは、手甲側ベース部３００側に向けて凹状に湾曲している。
【００４９】
手甲側裾部３０２は、手甲側ベース部３００の対向部３００ａに連続する裾本体部３０２ａと、該裾本体部３０２ａに連設され且つ延出縫代部３０１ｂに連続する裾縫代部３０２ｂとを有する。
【００５０】
裾本体部３０２ａは、手甲側ベース部３００の対向部３００ａに連続している。また、手甲側裾部３０２の裾本体部３０２ａは、前記重合方向において手平側裾部２０２の裾本体部２０２ａと対応する位置に配置されている。
【００５１】
手甲側裾部３０２の裾縫代部３０２ｂは、それぞれ、手甲側ベース部３００のベース縫代部３００ｂに連続している。さらに、手甲側裾部３０２の裾縫代部３０２ｂは、手平側裾部２０２の裾縫代部２０２ｂの外側に重なり合うようにして配置されている。
【００５２】
複数の手甲側挿通部３１は、手甲側シート３０の外縁部に沿って間隔をあけて配置されている。本実施形態では、上述のように、手甲側ベース部３００のベース縫代部３００ｂ、手甲側延出部３０１の延出縫代部３０１ｂ、手甲側裾部３０２の裾縫代部３０２ｂがそれぞれ連続しているため、複数の手甲側挿通部３１は、手甲側ベース部３００のベース縫代部３００ｂ、手甲側延出部３０１の延出縫代部３０１ｂ、手甲側裾部３０２の裾縫代部３０２ｂのそれぞれに形成されている。
【００５３】
なお、手甲側挿通部３１と手平側挿通部２１とは、互いに対応する位置に配置されていてもよいし、互いに位置ずれするようにして配置されていてもよい。
【００５４】
手甲側引掛部は、手甲側シート３０の外縁部を圧肉に形成することによって構成されている。また、手甲側引掛部３２は、手甲側内面３０ａ上に形成されている。手甲側引掛部３２と手平側引掛部２２とは、互いに引っ掛かり合うように構成されている。
【００５５】
紐体４は、図１に示すように、各手平側挿通部２１と各手甲側挿通部３１とに挿通されている。
【００５６】
また、紐体４は、手甲側シート３０の外縁部のうちの途中位置に固定されている。より具体的に説明すると、紐体４は、長尺であり、長手方向における一端が手甲側シート３０の外縁部のうちの途中位置に固定されている一対の引張線部４０を有する。なお、本実施形態に係る紐体４では、引張線部４０の一端に手平側挿通部２１よりも大きい外形の抜止部材４１を取り付けることによって、該一端を手甲側シート３０の外縁部の外縁部全周のうちの途中位置に固定している。
【００５７】
また、本実施形態において、固定とは、引張線部４０の他端を引っ張ったときに手甲側シート３０に対する引張線部４０の一端の動きを規制可能な構成であればよく、本実施形態のような、引張線部４０の一端を手平側挿通部２１に対して抜け止めを行う構成としたり、引張線部４０の一端を手甲側シート３０に直接的に固定する構成としてもよい。
【００５８】
一方の引張線部４０は、抜止部材４１を基点として、手甲側シート３０の谷部３０１ｆから手甲側延出部３０１の一方の直線部３０１ｃ、手甲側延出部３０１の湾曲部３０１ｄと順番に沿うように配置され、一方の裾縫代部３０２ｂに到達するように構成されている。
【００５９】
他方の引張線部４０は、抜止部材４１を基点として、一方の引張線部４０とは反対側に向けて、手甲側シート３０の谷部３０１ｆから手甲側延出部３０１の一方の直線部３０１ｃ、手甲側延出部３０１の湾曲部３０１ｄと順番に沿うように配置され、他方の裾縫代部３０２ｂに到達するように構成されている。
【００６０】
各紐止具５は、紐体４の長手方向における各位置で位置決可能に構成されている。上述のように、紐体４は、一対の引張線部４０を有するため、一方の紐止具５は、一方の引張線部４０の他端に取り付けられ、他方の紐止具５は、他方の引張線部４０の他端に取り付けられている。
【００６１】
本実施形態に係る手袋１の構成は、以上の通りの構成である。続いて、本実施形態に係る手袋１の使い方について説明を行う。
【００６２】
手袋１を手に装着する場合、手平側シート２０と、手甲側シート３０とを離間させて、各シート２０，３０間に手を挿し入れることができる状態にする。そして、手平側シート２０と、手甲側シート３０との間に手を挿し入れる。より具体的には、手の平及び手の甲を手平側ベース部２００と手甲側ベース部３００との間に配置し、各指を手平側延出部２０１と手甲側延出部３０１との間に配置する。
【００６３】
次に、一方の引張線部４０と、他方の引張線部４０とを順番に引っ張る。これにより、一方の引張線部４０は、他端側から徐々に引き付けられることで、一方の手平側裾部２０２の裾縫代部２０２ｂと一方の手甲側裾部３０２の裾縫代部３０２ｂとが締め付けられ、次に、手平側延出部２０１における延出縫代部２０１ｂの直線部２０１ｃと手甲側延出部３０１における延出縫代部３０１ｂの直線部３０１ｃとが締め付けられ、さらに、手平側延出部２０１における延出縫代部２０１ｂの湾曲部２０１ｄ（頂部２０１ｅ）と手甲側延出部３０１における延出縫代部３０１ｂの湾曲部３０１ｄ（頂部３０１ｅ）とが締め付けられ、続いて、手平側シート２０部の谷部３０１ｆと手甲側シート３０部の谷部３０１ｆとが締め付けられる。
【００６４】
他方の引張線部４０も、他端側から徐々に引き付けられることで、他方の手平側裾部２０２の裾縫代部２０２ｂと他方の手甲側裾部３０２の裾縫代部３０２ｂとが締め付けられ、次に、手平側延出部２０１における延出縫代部２０１ｂの直線部２０１ｃと手甲側延出部３０１における延出縫代部３０１ｂの直線部３０１ｃとが締め付けられ、さらに、手平側延出部２０１における延出縫代部２０１ｂの湾曲部２０１ｄ（頂部２０１ｅ）と手甲側延出部３０１における延出縫代部３０１ｂの湾曲部３０１ｄ（頂部３０１ｅ）とが締め付けられ、続いて、手平側シート２０部の谷部３０１ｆと、手甲側シート３０部の谷部３０１ｆとが締め付けられる。これにより、手平側シート２０と手甲側シート３０とが互いに接近しつつ手の外形に沿って変形する。
【００６５】
また、図４に示すように、紐体４で手平側シート２０と手甲側シート３０とが締め付けられる際に、手平側外面２０ｂ側に位置する手平側引掛部２２と、手甲側内面３０ａ側に位置する手甲側引掛部とが互いに引っ掛かり合うため、手平側シート２０の外縁部と手甲側シート３０の外縁部とが重なり合った状態が維持される。
【００６６】
そして、各引張線部４０を充分に引っ張った後に、紐止具５によって各引張線部４０の弛みを規制する。これにより、手袋１の装着が完了する。
【００６７】
手袋１を取り外す場合は、紐止具５による各引張線部４０の弛みへの規制を解除した後に、手平側シート２０と手甲側シート３０とを離間させる。
【００６８】
より具体的には、一方の手平側裾部２０２の裾縫代部２０２ｂと一方の手甲側裾部３０２の裾縫代部３０２ｂとの間隔が広げられると、互いに離間する一方の手平側裾部２０２の裾縫代部２０２ｂと一方の手甲側裾部３０２の裾縫代部３０２ｂとによって、一方の引張紐部４０が引き込まれる。これにより、一方の手平側裾部２０２の裾縫代部２０２ｂと一方の手甲側裾部３０２の裾縫代部３０２ｂとを弛めた状態にすることができる。
【００６９】
そして、手平側シート２０と手甲側シート３０とをさらに離間させると、手平側延出部２０１における延出縫代部２０１ｂの直線部２０１ｃと手甲側延出部３０１における延出縫代部３０１ｂの直線部３０１ｃとが弛められ、さらに、手平側延出部２０１における延出縫代部２０１ｂの湾曲部２０１ｄ（頂部２０１ｅ）と手甲側延出部３０１における延出縫代部３０１ｂの湾曲部３０１ｄ（頂部３０１ｅ）とが弛められ、続いて、手平側シート２０部の谷部３０１ｆと手甲側シート３０部の谷部３０１ｆとが弛められる。
【００７０】
また、他方の手平側裾部２０２の裾縫代部２０２ｂと他方の手甲側裾部３０２の裾縫代部２０２ｂとの間隔が広げられると、互いに離間する他方の手平側裾部２０２の裾縫代部２０２ｂと他方の手甲側裾部３０２の裾縫代部３０２ｂとによって、他方の引張紐部４０が引き込まれる。これにより、他方の手平側裾部２０２の裾縫代部３０２ｂと他方の手甲側裾部３０２の裾縫代部３０２ｂとを弛めた状態にすることができる。
【００７１】
そして、手平側シート２０と手甲側シート３０とをさらに離間させると、手平側延出部２０１における延出縫代部２０１ｂの直線部２０１ｃと手甲側延出部３０１における延出縫代部３０１ｂの直線部３０１ｃとが弛められ、さらに、手平側延出部２０１における延出縫代部２０１ｂの湾曲部２０１ｄ（頂部２０１ｅ）と手甲側延出部３０１における延出縫代部３０１ｂの湾曲部３０１ｄ（頂部３０１ｅ）とが弛められ、続いて、手平側シート２０部の谷部３０１ｆと手甲側シート３０部の谷部３０１ｆとが弛められる。
【００７２】
そして、手平側シート２０と手甲側シート３０の間から手を抜き取ることによって、手袋１の取り外しが完了する。
【００７３】
手から取り外した手袋１は、手平側シート２０と手甲側シート３０とをさらに離間させると、該手平側シート２０と手甲側シート３０との間隔をさらに広げることができるため、内部（手平側シート２０の手平側内面、及び手甲側シート３０の手甲側内面３０ａ）を洗い易い状態にすることができる。
【００７４】
以上のように、本実施形態に係る手袋１では、紐体４が、手平側シート２０の外縁部に形成される手平側挿通部２１のそれぞれと、手甲側シート３０の外縁部に形成される手甲側挿通部３１のそれぞれとに挿通され、さらに、紐体４を締め付けて手平側シート２０と手甲側シート３０との間隔を狭めることでそれぞれの外縁部を重ね合わせた状態にし、手平側シート２０と手甲側シート３０との間隔が広げられることでそれぞれに対する締め付けが弛められるように構成される。
【００７５】
そのため、手平側シート２０と手甲側シート３０との間に手を挿し入れた状態で、手平側シート２０と手甲側シート３０とを紐体４によって締め付けると、該手平側シート２０と手甲側シート３０とが手の形状に沿って変形する。従って、手袋１は、手平側シート２０と手甲側シート３０とを使用者の手に応じた形状にして装着することができる。
【００７６】
また、手平側シート２０と手甲側シート３０との間隔を広げて紐体４を弛めることで手平側シート２０と手甲側シート３０との間から手を抜き取ることができる状態になり、手平側シート２０と手甲側シート３０との間隔をさらに広げることで内部を洗い易い状態にすることもできる。
【００７７】
従って、手袋１は、装着性が高く、衛生的な状態を保ち易いという優れた効果を奏し得る。
【００７８】
また、本実施形態に係る手袋１の紐体４は、一端と他端との間の途中位置で手平側シート２０の外縁部又は手甲側シート３０の外縁部に固定されているため、紐体４が手平側シート２０の外縁部又は手甲側シート３０の外縁部に固定される基点位置Ｐで区切られており、これにより、手平側シート２０と手甲側シート３０とを締め付けたり、手平側シート２０と手甲側シート３０に対する締め付けを弛めたりするに伴って紐体４に生じる力が分散される。
【００７９】
さらに、紐体４は、各手平側延出部２０１の頂部２０１ｅと各手甲側延出部３０１の頂部３０１ｅとに対応する位置、及び手平側延出部２０１の間の各谷部２０１ｆと各手甲側延出部３０１の間の各谷部３０１ｆとに対応する位置で、手平側挿通部２１又は手甲側挿通部３１に挿通されているため、外縁が湾曲した形状である手平側延出部２０１の頂部２０１ｅや、各手甲側延出部３０１の頂部３０１ｅに対応する位置において、紐体４が手平側挿通部２１又は手甲側挿通部３１に挿通されている。
【００８０】
これにより、紐体４で手平側シート２０と手甲側シート３０とを締め付けたときに、手平側延出部２０１の頂部２０１ｅと各手甲側延出部３０１の頂部３０１ｅとの間に隙間が形成されることを抑えることができる。
【００８１】
また、外縁が湾曲した形状である手平側延出部２０１の間の各谷部２０１ｆと各手甲側延出部３０１の間の各谷部３０１ｆとに対応する位置においても、紐体４が手平側挿通部２１又は手甲側挿通部３１に挿通されるため、紐体４で手平側シート２０と手甲側シート３０とを締め付けたときに、手平側延出部２０１の谷部２０１ｆと各手甲側延出部３０１の谷部３０１ｆとの間に隙間が形成されることを抑えることができる。
【００８２】
なお、本発明の手袋１は、上記一実施形態に限定されるものではなく、本発明の要旨を逸脱しない範囲において種々変更を行うことは勿論である。
【００８３】
上記実施形態において、複数の手平側挿通部２１には、各手平側延出部２０１の頂部２０１ｅと、隣り合う手平側延出部２０１の基端部の間の各谷部２０１ｆとに形成されたものが含まれていたが、この構成に限定されない。例えば、各手平側挿通部２１は、各手平側延出部２０１の頂部２０１ｅと、隣り合う手平側延出部２０１の基端部の間の各谷部２０１ｆとから外れた位置に形成されていてもよい。この場合、複数の手甲側挿通部３１に、各手甲側延出部３０１の頂部３０１ｅと、隣り合う手甲側延出部３０１の基端部の間の各谷部３０１ｆとに形成されたものが含まれていればよい。
【００８４】
上記実施形態において、紐体４は、各手平側延出部２０１の頂部２０１ｅと各手甲側延出部３０１の頂部３０１ｅとに対応する位置、及び手平側延出部２０１の間の各谷部２０１ｆと各手甲側延出部３０１の間の各谷部３０１ｆとに対応する位置で、手平側挿通部２１に挿通されていたが、この構成に限定されない。
【００８５】
例えば、紐体４は、各手平側延出部２０１の頂部２０１ｅと各手甲側延出部３０１の頂部３０１ｅとに対応する位置、及び手平側延出部２０１の間の各谷部２０１ｆと各手甲側延出部３０１の間の各谷部３０１ｆとに対応する位置で、手甲側挿通部３１に挿通されていてもよい。
【００８６】
上記実施形態において、手平側挿通部２１は、手平側シート２０に形成された貫通孔で構成され、手甲側挿通部３１は、手甲側シート３０に形成された貫通孔で構成されていたが、この構成に限定されない。
【００８７】
例えば、手平側挿通部２１は、図５及び図６に示すように、手平側シート２０部の手平側外面２０ｂに形成された筒状の手平側挿通部２１と、手甲側シート３０部の手甲側内面３０ａに形成された筒状の手甲側挿通部３１とに紐体４を挿通するようにしてもよい。
【００８８】
かかる構成によれば、手平側挿通部２１の軸方向が手平側シート２０の外縁部が延びる方向に沿い、手甲側挿通部３１の軸方向が手甲側シート３０の外縁部が延びる方向に沿う。
【００８９】
そのため、手平側挿通部２１への紐体４の挿通方向が、手平側シート２０の外縁部が延びる方向に沿い、手甲側挿通部３１への紐体４の挿通方向が、手甲側シート３０の外縁部が延びる方向に沿う。従って、手平側挿通部２１への紐体４の挿通方向と、手甲側挿通部３１への紐体４の挿通方向とを揃えることができる。従って、手平側シート２０と手甲側シート３０に対する締め付けを弛めたりする際に紐体４の動く方向を揃えることができる。
【００９０】
従って、紐体４による締め付け、又は弛め操作を円滑に行えるようになる。なお、図５及び図６に示す手平側挿通部２１は、例えば、手平側シート２０の外縁部に切り込みを形成し、該切り込みの片側の部分を筒状に丸めて形成してもよい。また、手甲側挿通部３１も、手甲側シート３０の外縁部に切り込みを形成し、該切り込みの片側の部分を筒状に丸めて形成してもよい。
【００９１】
また、手平側挿通部２１の軸方向は、手平側シート２０の外縁部が延びる方向に対して僅かに傾斜していてもよいし、手甲側挿通部３１の軸方向は、手甲側シート３０の外縁部が延びる方向に対して僅かに傾斜していてもよい。このようにすれば、手平側挿通部２１では、一方の開口端が外縁側に位置し且つ他方の開口端が手の中央側に位置し、手平側挿通部２１では、一方の開口端が外縁側に位置し且つ他方の開口端が手の中央側に位置する。これにより、紐体４を締め付けたときに、手平側挿通部２１と手甲側挿通部３１とが干渉してしまうことを防止することができるため、紐体４による締め付け、又は弛め操作を円滑に行えるようになる。
【００９２】
そして、手平側挿通部２１は、図７に示すように、手平側シート２０の外縁端よりも外側に配置されていてもよいし、手甲側挿通部３１は、手甲側シート３０の外縁端よりも外側に配置されていてもよい。この場合においても、紐体４の動く方向を揃えることができるため、手平側シート２０と手甲側シート３０との締め付けや、手平側シート２０と手甲側シート３０に対する締め付けを弛める際に、紐体４に生じる力が分散される。
【符号の説明】
【００９３】
１…手袋、２…手平側被覆材、３…手甲側被覆材、４…紐体、５…紐止具、２０…手平側シート、２０ａ…手平側内面、２０ｂ…手平側外面、２１…手平側挿通部、２２…手平側引掛部、３０…手甲側シート、３０ａ…手甲側内面、３０ｂ…手甲側外面、３１…手甲側挿通部、３２…手甲引掛部、４０…引張線部、４１…抜止部材、２００…手平側ベース部、２００ａ…対向部、２００ｂ…ベース縫代部、２０１…手平側延出部、２０１…手甲側延出部、２０１…手平側延出部、２０１ａ…延出被覆部、２０１ｂ…延出縫代部、２０１ｃ…直線部、２０１ｄ…湾曲部、２０１ｅ…頂部、２０１ｆ…谷部、２０２…手平側裾部、２０２ａ…裾本体部、２０２ｂ…裾縫代部、３００…手甲側ベース部、３００ａ…対向部、３００ｂ…ベース縫代部、３０１…手甲側延出部、３０１ａ…延出被覆部、３０１ｂ…延出縫代部、３０１ｃ…直線部、３０１ｄ…湾曲部、３０１ｅ…頂部、３０１ｆ…谷部、３０２…手甲側裾部、３０２ａ…裾本体部、３０２ｂ…裾縫代部、Ｐ…基点位置
【図１】
0006714895.tif 000002
【図２】
0006714895.tif 000003
【図３】
0006714895.tif 000004
【図４】
0006714895.tif 000005
【図５】
0006714895.tif 000006
【図６】
0006714895.tif 000007
【図７】
0006714895.tif 000008